(57)【要約】【課題】照明の点灯及び消灯の制御により視野内の明暗の差を小さくする。【解決手段】本発明に係る照明システムは、複数の照明器具と照明コントローラと複数の人感センサとを有する。照明器具は、照明コントローラからの指令に応じて点灯、消灯または調光点灯する。照明コントローラには、各人感センサに対応付けられた第１グループと第２グループとが設定登録されている。第１グループは、人感センサそれぞれの検知範囲に対応する対応領域内に設置された照明器具のグループである。第２グループは、平面視で対応領域それぞれに隣接する一定の範囲内に設置された照明器具のグループである。照明コントローラはいずれかの人感センサがその検知範囲内に人の存在を検知した場合、その人感センサの第１グループの照明器具には第１調光率で、第２グループに属する照明器具には、第１調光率とは異なる第２調光率で、調光点灯する指令を送信する。【選択図】図５
2020205151.tif 000002
【特許請求の範囲】
【請求項１】
照明コントローラと、
人が存在する状態または人が不在の状態を検知できる複数の人感センサと、
前記照明コントローラからの、点灯、消灯、及び、調光点灯の何れかの指令に応じて、点灯、消灯、及び、調光点灯する複数の照明器具と、
を備え、
前記照明コントローラには、
前記複数の人感センサそれぞれに対応付けられて、
平面視で、人感センサの検知範囲のそれぞれに対応する対応領域内に設置された前記照明器具のグループである第１グループと、
平面視で、前記対応領域のそれぞれに隣接する一定の範囲内に設置された前記照明器具のグループである第２グループと、
が設定登録され、
前記照明コントローラは、
前記複数の人感センサのうちいずれか１以上の人感センサが、前記検知範囲内に人が存在する状態を検知した場合、
人が存在する状態を検知した前記人感センサの前記第１グループに属する前記照明器具に、第１調光率で調光点灯する第１調光点灯指令を送信し、
人が存在する状態を検知した前記人感センサの前記第２グループに属する前記照明器具に、第１調光率とは異なる第２調光率で調光点灯する第２調光点灯指令を送信する、
ように構成されている照明システム。
【請求項２】
前記第２調光点灯指令を複数受信した照明器具は、前記第２調光率と第１調光率との間の調光率である第３調光率で調光点灯するように構成されている請求項１に記載の照明システム。
【請求項３】
前記第２調光点灯指令を複数受信した照明器具は、第１調光率で調光点灯するように構成されている請求項１に記載の照明システム。
【請求項４】
前記照明コントローラは、
前記複数の人感センサのうちいずれか１以上の人感センサが、前記検知範囲内に人が存在する状態を検知した後、人が不在の状態を検知した場合、
人が不在の状態を検知した前記人感センサの、前記第１グループに属する照明器具を消灯させる第１消灯指令を送信し、
人が不在の状態を検知した前記人感センサの、前記第２グループに属する照明器具を消灯させる第２消灯指令を送信し、
人が存在する状態を検知した前記人感センサの、前記第２グループに属する照明器具に、前記第２調光点灯指令を再送信する、
ように構成されている請求項１から３の何れか１項に記載の照明システム。
【請求項５】
前記第１消灯指令または前記第２消灯指令を受信した照明器具は、現在の調光率を維持する一定の保持時間経過後に、現在の調光率より減光した状態に移行し、減光された状態で一定の遅延時間維持された後に消灯する、
ように構成されている請求項４に記載の照明システム。
【請求項６】
照明コントローラと、
人が存在する状態または人が不在の状態を検知できる複数の人感センサと、
前記照明コントローラからの、点灯または消灯の指令に応じて、点灯または消灯する複数の照明器具と、
を備え、
前記照明コントローラには、
前記複数の人感センサそれぞれに対応付けられて、
平面視で、人感センサの検知範囲のそれぞれに対応する対応領域内に設置された前記照明器具のグループである第１グループと、
平面視で、前記対応領域のそれぞれに隣接する一定の範囲内に設置された前記照明器具のグループである第２グループと、
が設定登録され、
前記照明コントローラは、
前記複数の人感センサのうちいずれか１以上の人感センサが、前記検知範囲内に人が存在する状態を検知した場合、
人が存在する状態を検知した前記人感センサの前記第１グループに属する全ての前記照明器具を点灯させる第１指令を送信し、
人が存在する状態を検知した前記人感センサの前記第２グループに属する前記照明器具のいずれか１以上に点灯させ、他の照明器具を消灯させる間引き点灯を行う第２指令を送信する、
ように構成されている照明システム。
【請求項７】
前記第２指令の受信数が複数である照明器具は点灯し、
前記第２指令の受信数が１である照明器具は、受信した前記第２指令の内容が、当該照明器具を点灯させる指令であるときには点灯し、当該照明器具を間引いて消灯させる指令であるときには消灯する、
ように構成されている請求項６に記載の照明システム。
【発明の詳細な説明】
【技術分野】
【０００１】
本発明は、照明システムに関する。
【背景技術】
【０００２】
従来、人感センサを用いて人の存在または不在（以下「在／不在」とも称する）を検知して照明を制御する照明システムが知られている。これに関し、例えば特許文献１には、所定の領域を小領域に分けて、小領域ごとに人の動きを検知する人感センサと照明器具とを設置した照明システムが記載されている。この照明システムでは、人の在／不在の状態の検出精度を向上するべく、ある小領域に設置された人感センサの出力と、その小領域に隣接する小領域に設置された人感センサの出力との両方を用いて、その小領域の人の在／不在の状態の判断をする構成が採用されている。
【先行技術文献】
【特許文献】
【０００３】
【特許文献１】特開２０１８−７３５７４号公報
【発明の概要】
【発明が解決しようとする課題】
【０００４】
特許文献１に記載の照明システムでは、判断対象の小領域に人が不在であると判断された場合、隣接する他の小領域の人の在／不在に関わらず、照明器具は消灯状態にされる。しかし、一般に人の目は視野内の明暗の差が大きくなると疲労しやすくなる。この点で、従来の照明システムにおける照明制御には改善の余地が残る。
【０００５】
本発明は、上述の課題を解決するためになされたもので、人感センサを用いた照明の点灯及び消灯の制御に際し、視野内の明暗の差を小さく抑制できるように改良された照明システムを提供するものである。
【課題を解決するための手段】
【０００６】
本発明に係る照明システムは、複数の照明器具と、照明コントローラと、人が存在する状態または人が不在の状態を検知できる複数の人感センサと、照明器具とを有する。照明器具は、照明コントローラからの、点灯、消灯、及び、調光点灯の何れかの指令に応じて、点灯、消灯、及び、調光点灯する。照明コントローラには、第１グループと第２グループとが設定登録されている。第１グループは、複数の人感センサそれぞれに対応付けられて、平面視で、人感センサそれぞれの検知範囲内に設置された照明器具のグループである。第２グループは、平面視で、人感センサそれぞれの検知範囲に隣接する一定の範囲内に設置された照明器具のグループである。照明コントローラは、複数の人感センサのうちいずれか１以上の人感センサが、検知範囲内に人が存在する状態を検知した場合、人が存在する状態を検知した人感センサの第１グループに属する照明器具に、第１調光率で調光点灯する第１調光点灯指令を送信し、人が存在する状態を検知した人感センサの第２グループに属する照明器具に、第１調光率より低い第２調光率で調光点灯する第２調光点灯指令を送信するように構成されている。
【発明の効果】
【０００７】
本発明に係る照明システムによれば、ある人感センサによって人の存在が検知された場合、その人感センサの検知範囲にある第１グループの照明器具が点灯されると共に、それに隣接する一定の範囲内にある第２グループの照明器具が、第１グループの照明器具より低い調光率で点灯るか、あるいは間引き点灯される。これにより、人の存在を中心とするなだらかな照度分布を形成することができ、人の目の視環境を改善することができる。
【図面の簡単な説明】
【０００８】
【図１】本発明の実施の形態１における照明システムの構成を模式的に示すブロック図である。
【図２】本発明の実施の形態１の照明システムの各機器の配置例を模式的に示す図である。
【図３】本発明の実施の形態１の照明システムの照明器具の第１グループの設定登録例を示す図である。
【図４】本発明の実施の形態１の照明システムの照明器具の第２グループの設定登録例を示す図である。
【図５】本発明の実施の形態１の照明システムにおける、人感センサ連動制御の動作を示す図である。
【図６】本発明の実施の形態１の照明システムでの人感センサ連動制御中の各照明器具の点灯状態を示す図である。
【図７】本発明の実施の形態１の照明システムでの人感センサ連動制御中の各照明器具の点灯状態を示す図である。
【図８】従来の照明システムの照明器具のグループ設定例を示す図である。
【図９】従来の照明システムの照明器具のグループ設定例を示す図である。
【図１０】本発明の実施の形態２の照明システムにおける、人感センサ連動制御の動作を示す図である。
【図１１】本発明の実施の形態２の照明システムでの人感センサ連動制御中の各照明器具の点灯状態を示す図である。
【図１２】本発明の実施の形態３の照明システムにおける、人感センサ連動制御の動作を示す図である。
【図１３】本発明の実施の形態３の照明システムでの人感センサ連動制御中の各照明器具の点灯状態を示す図である。
【図１４】本発明の実施の形態３の照明システムでの人感センサ連動制御中の各照明器具の点灯状態を示す図である。
【図１５】本発明の実施の形態３の照明システムにおける消灯の制御の変形例を示す図である。
【図１６】本発明の実施の形態３の照明システムにおける消灯の制御の変形例を示す図である。
【図１７】本発明の実施の形態１〜３の照明システムの変形例を示す図である。
【図１８】本発明の実施の形態１〜３の照明システムの変形例を示す図である。
【発明を実施するための形態】
【０００９】
本発明の実施の形態に係る照明システムについて図面を参照して説明する。同じまたは対応する構成要素には同じ符号を付し、説明の繰り返しを省略する場合がある。
【００１０】
実施の形態１．
図１は、実施の形態１の照明システム１０の構成を模式的に示すブロック図である。図１に示されるように、照明システム１０は、照明コントローラ２を備える。照明コントローラ２には、人感センサ３、照度センサ４、複数の照明器具５、及び、壁スイッチ６が接続されている。
【００１１】
人感センサ３は、その検知可能な範囲における人が居る状態と居ない状態（以下「在／不在」と称する）とを検知する。人感センサ３により、在から不在、不在から在への状態変化が検知されると、照明コントローラ２に状態変化が送信される。また人感センサ３は、照明コントローラ２から人感状態モニタ要求を受信した場合に、照明コントローラ２に、在／不在の人感状態モニタ応答を送信する。
【００１２】
人感センサ３は、その検知エリア内に人の在／不在の状態または在／不在の状態変化を検知して、検知結果を照明コントローラに出力できるものであればよい。例えば、人感センサ３として、検知エリア内の温度変化を感知することで、人の動きを検知する赤外線センサを利用することができる。照度センサ４は、照度センサ４の検知エリア内の明るさを検知する。
【００１３】
照明器具５は、ＬＥＤ及び白熱灯等の光源を搭載し、明るさを調節する調光点灯の機能を備えた照明装置である。壁スイッチ６は、照明器具５の点灯、消灯、及び、調光点灯を行うために人が操作するスイッチであり、例えば、部屋の壁などに埋め込まれている。
【００１４】
照明器具５は、照明コントローラ２、壁スイッチ６、または赤外線リモコン等から、点灯指令、消灯指令、または、調光点灯指令を受信すると、それに従って、点灯、消灯、または、調光点灯の状態に切り替えられる。調光点灯は、例えば「明るく・暗く」といった２段階の設定でもよいし、「５０％・７０％・１００％」といった複数段階の比率で設定されるものでもよいし、「１・２・３」といったレベル表示で設定されるものでもよい。
【００１５】
照明システム１０は、以上のような、人感センサ３、照度センサ４、複数の照明器具５、及び、壁スイッチ６で構成されるセットを複数備えており、増幅器７を介して照明コントローラ２に接続されている。照明システム１０の照明コントローラ２と、これに接続される機器のそれぞれは、通信線９によって接続され、通信線９を介して通信するように構成されている。なお、照明システム１０は、増幅器７を有さない構成であってもよい。即ち、接続された各機器が正常に動作する場合には、人感センサ３、照度センサ４、複数の照明器具５、及び、壁スイッチ６等で構成される接続機器のセットが複数、増幅器７を介さずに、照明コントローラ２に接続された構成であってもよい。
【００１６】
照明コントローラ２には、接続機器それぞれのアドレス（例えば端末番号）や後述するグループを設定登録することができる。設定登録には、例えば、赤外線リモコンである設定器８や照明コントローラ２に接続されるパーソナルコンピュータ（図示省略）を用いる構成とすることができる。照明コントローラ２に人感センサ３を設定登録することにより、照明コントローラ２は、各人感センサ３から送信された人の在／不在の情報を受信することができる。照明コントローラ２に各照明器具５を設定登録することにより、照明コントローラ２は、照明器具５を、個別にあるいはグループごとに点灯、消灯、または、調光点灯させることができる。
【００１７】
図２は、照明システム１０の各機器の配置例を示す平面図である。図２は、照明システム１０の照明対象領域１１の天井面を表している。図２に示されるように、照明対象領域１１は、仮想的に、各人感センサ３を中心とする９つの同一サイズの正方形の検知範囲１２に分けられている。各検知範囲１２は、照明対象領域１１の床面における人感センサ３の検知可能な領域１３を、天井面に正射した範囲を基に設定されている。各検知範囲１２には、その中心に設置された人感センサ３を囲むようにして、４台ずつの照明器具５が設置されている。つまり照明対象領域１１の天井面には、合計９台の人感センサ３と、合計３６台の照明器具５とが設置されている。
【００１８】
なお、図２に示されるように、実際の人感センサ３の検知可能な領域１３は略円形である。本実施の形態では検知範囲１２を、隣接する２つの人感センサ３の床面における検知可能な領域１３の境界線（図２の破線の円）の交点を結ぶ直線で分けた範囲とする。ただし、検知範囲１２は正方形に限られない。要するに、照明対象領域１１内全体が人感センサ３によって検知可能となるように、適切な数の人感センサ３が設定されていればよく、設置された人感センサ３の実際の検知可能な領域１３に応じて、検知範囲１２を設定すればよい。設定された人感センサ３それぞれの検知可能な領域１３は、照明対象領域１１の床面からある程度の高さまでの部分において重複していてもよい。また、逆に、床面付近においては、いずれの人感センサ３の検知可能な領域１３にも含まれていないエリアが多少存在していてもよい。また、検知可能な領域が、検知範囲１２と一致する形である人感センサを用いてもよい。
【００１９】
本実施の形態では、照明器具５は、人感センサ３と対応付けられて、照明コントローラ２にグループ設定登録される。より具体的には、ある人感センサ３の検知範囲１２に配置された４台の照明器具５は、その人感センサ３の第１グループの照明器具５として設定登録される。また、その人感センサ３の検知範囲１２の外側であって、かつ一定の範囲内にある照明器具５は、その人感センサ３の第２グループの照明器具５として設定登録される。
【００２０】
図３は、実施の形態１における照明システムの第１グループの設定登録例を示す図であり、図４は、第２グループの設定登録例を示す図である。図３及び図４において、照明器具５に付したグループ番号＃Ａ〜＃Ｉまたは＃ａ〜＃ｉと同じアルファベットを、そのグループが対応付けられている人感センサ３及び検知範囲１２の符号の最後に大文字で付してその関係性を表している。また、照明器具５については、第１グループの番号を大文字、第２グループの番号を小文字のアルファベットで表している。
【００２１】
まず、第１グループの設定について詳述する。図３に示されるように、例えば、人感センサ３Ａの検知範囲１２Ａ内に配置された４つの照明器具５は、人感センサ３Ａに対応付けられ人感センサ３Ａの第１グループ＃Ａに属する照明器具５として登録される。同様に、人感センサ３Ｂ〜３Ｉそれぞれの検知範囲１２Ｂ〜１２Ｉ内にある４つずつの照明器具５が、人感センサ３Ｂ〜３Ｉそれぞれに対応付けられて、人感センサ３Ｂ〜３Ｉそれぞれの第１グループ＃Ｂ〜＃Ｉそれぞれに属する照明器具５として登録される。
【００２２】
次に第２グループの設定について詳述する。図４に小文字のアルファベットで示したように、第２グループ＃ａ〜＃ｅには、１つの人感センサ３と、その人感センサ３の検知範囲１２の外側に隣接する一定の範囲内に配置された照明器具５とが、それぞれ登録される。例えば、中央の人感センサ３Ｅの場合を例にとって説明すると、図４の破線１４Ｅの領域内であり、かつ、検知範囲１２Ｅの外側の領域が、人感センサ３Ｅの検知範囲１２Ｅの外側に隣接する一定の範囲である。そして、この一定の範囲に配置された１２台の照明器具５が、人感センサ３Ｅの第２グループ＃ｅに属する照明器具５として登録される。
【００２３】
同様に、例えば、人感センサ３Ｇの場合を例にとって説明すると、図４の破線１４Ｇの領域内であり、かつ、検知範囲１２Ｇの外側の領域が、人感センサ３Ｇの検知範囲１２Ｇの外側に隣接する一定の範囲である。そして、この一定の範囲に配置された５台の照明器具５が、人感センサ３Ｇの第２グループ＃ｇに属する照明器具５として登録される。
【００２４】
ここで検知範囲１２の外側に隣接する一定の範囲は、適宜設定することができるが、この実施の形態では、検知範囲１２の外側の照明器具５が一列だけ含まれる範囲とする。この一定の範囲は、例えば、ある人感センサ３に対して、隣に配置された人感センサ３の中心を結ぶ領域としてもよい。
【００２５】
各照明器具５は、図３に示されるように、＃Ａ〜＃Ｉのいずれか１つの第１グループに登録されるが、１つの第２グループに登録されるとは限らない。図４に示されるように、第２グループの登録がない照明器具５もあり、また、３つの第２グループに登録される照明器具５も存在する。
【００２６】
本実施の形態において照明コントローラ２は、人感センサ３がその検知範囲１２内に人が存在する状態を検知した場合に、その人感センサ３の第１グループとして登録された照明器具５に、第１調光率で点灯する第１調光点灯指令を送信する。また、その人感センサ３の第２グループとして登録された照明器具５に、第１調光率より低い第２調光率で点灯する第２調光点灯指令を送信する。以下、この照明システム１０が実行する人感センサ連動制御の動作の一例を、図５を用いて説明する。
【００２７】
照明システム１０は、図１〜図４に示す構成を有し、人感センサ３及び照明器具５は、検知範囲１２Ａ〜１２Ｉに配置されているものとする。また、図５は、検知範囲１２Ｅにおいて、人が不在の状態から人が存在する状態となり、その後、検知範囲１２Ｇにおいて、人が不在の状態から人が存在する状態になった場合の制御例である。なお、図５では、調光点灯指令に対する照明器具５の応答を省略するものとする。
【００２８】
図５の例では、まず、ステップＳ１において、検知範囲１２Ｅに人が入ったことが人感センサ３Ｅによって検知され、人感センサ３Ｅから照明コントローラ２に在検知が送信される。次に、ステップＳ２に進み、在検知を受信した照明コントローラ２は、照明コントローラ２のメモリ内の人感センサテーブル２１に保存された在／不在の情報を更新する。図５に示す人感センサテーブル２１に保存されるデータ「００００１００００」は、検知範囲１２Ａ〜１２Ｉの順に、在を「１」、不在を「０」で示すデータである。
【００２９】
ステップＳ３に進み、照明コントローラ２は、在検知を送信した人感センサ３Ｅの第１グループ＃Ｅに属する照明器具５に、第１調光率で調光点灯する第１調光点灯指令を送信する。ここで、人の存在する検知範囲１２の照明器具５に送信される第１調光率は、予め定められた調光率であり、例えば１００％とする。次に、ステップＳ４に進み、照明コントローラ２は、人感センサ３Ｅの第２グループ＃ｅに属する照明器具５に、第２調光率で調光点灯する第２調光点灯指令を送信する。ここで第２調光率は、第１調光率より低い調光率に予め設定された値であり、例えば、第１調光率である１００％の半分である５０％とする。
【００３０】
ステップＳ４直後の照明器具５の点灯状態を図６に示す。なお、図７、図１１、図１３、及び、図１４にも同様に、人感センサ連動制御中の各段階における照明器具５の点灯状態を示すが、これらの図６、図７、図１１、図１３、及び、図１４において、実線で区切られた各区画は図３及び図４の検知範囲１２Ａ〜１２Ｉに対応し、検知範囲１２Ａ〜１２Ｉ内の破線で区切られた各区画は、その位置の照明器具５に対応して、各照明器具５の調光率を示している。
【００３１】
図６に示される通り、ステップＳ３及びＳ４の処理により、検知範囲１２Ｅ内の照明器具５は、第１調光率１００％で点灯され、検知範囲１２Ｅに隣接する一定の範囲内の照明器具５、即ち、第２グループ＃ｅに属する照明器具５は第２調光率５０％で点灯されている。
【００３２】
再び、図５を参照して、続くステップＳ５では、人感センサ３Ｇによって、検知範囲１２Ｇに人が入ったことが検知され、人感センサ３Ｇから照明コントローラ２に在検知が送信される。次に、ステップＳ６に進み、在検知を受信した照明コントローラ２は、照明コントローラ２のメモリ内の人感センサテーブル２１に保存された在／不在情報を更新する。この段階では、検知範囲１２Ｅと１２Ｇとにおいて在検知されているので、更新後のデータは「００００１０１００」である。
【００３３】
次に、ステップＳ７に進み、照明コントローラ２は、第１グループ＃Ｇに属する照明器具５に、第１調光率１００％で調光点灯する第１調光点灯指令を送信する。ステップＳ８に進み、照明コントローラ２は、第２グループ＃ｇに属する照明器具５に、第２調光率５０％で点灯する第２調光点灯指令を送信する。
【００３４】
ステップＳ８の処理直後の照明器具５の点灯状態を図７に示す。上述の処理で、照明器具５は、受信した最新の指令に従い調光制御される第１調光点灯指令は、第２調光点灯指令に優先される。従って、ステップＳ８の処理時には、図７に示される通り、第１グループ＃Ｅまたは＃Ｇに属する検知範囲１２Ｅまたは１２Ｇ内の照明器具５は、第１調光率１００％で点灯し、第１グループ＃Ｅまたは＃Ｇに属さず、かつ、第２グループ＃ｅまたは＃ｇに属する照明器具５が第２調光率５０％で点灯している。
【００３５】
以上の処理により、照明システム１０では、人感センサ３が人の存在を検出すると、その人感センサ３に第１グループとして対応付けられた照明器具５と、その人感センサ３に第２グループとして対応付けられた照明器具５とが連動して制御される。これにより、人が存在するエリアを適切な照度で照らすことができる。
【００３６】
また、第１グループの照明器具５には、予め定められた第１調光率の第１調光点灯指令が送信され、第２グループの照明器具５には、予め定められた第１調光率より低い第２調光率の第２調光点灯指令が送信される。これにより、人が存在するエリアの周囲をなだらかな照度の分布で照らすことができる。また、第２グループの照明器具５を、第１調光率よりも減光して調光することにより、消費電力の増大化を抑制することができる。
【００３７】
ここで、本実施の形態の照明システム１０と、図８及び図９に示す従来の照明システムとを比較する。例えば、図８の従来の照明システムでは、照明コントローラには、各人感センサ１０３と、その検知範囲１１２内の照明器具１０５とが対応付けて登録されている。この従来のシステムの図８に示す例では、斜線付きの丸で示された２つの検知範囲１１２の人感センサ１０３Ｅ及び１０３Ｇが在検知し、白丸で表現された残り７つの人感センサ１０３が不在検知する。この場合、照明コントローラ２は在検知した人感センサ１０３Ｅ及び１０３Ｇの検知範囲１１２Ｅ及び１１２Ｇ（即ち、図８の太実線の枠内）の、４×２台の照明器具１０５に点灯指令を出し、他の検知範囲１１２にある４×７台の照明器具１０５に点灯を指令しない。
【００３８】
図８に示すように、在検知された検知範囲１１２内の照明器具１０５のみを点灯する従来の照明システムによれば、人感センサ１０３の在／不在の検知に連動して、その検知範囲１１２内の照明器具１０５を点灯／消灯させることはできる。しかし、このような照明システムでは、在検知した検知範囲に隣接する照明エリア内の照明器具１０５は消灯しているため、人の真上だけが明るくなり、視野内の明暗の差が大きくなっている。
【００３９】
また、図９の照明システムは、人感センサ１０３と対応付ける照明器具１０５の範囲を、その人感センサ１０３の検知範囲１１２よりも広くとった構成例である。この例では、例えば、図９に示されるように、人感センサ１０３Ｅと１０３Ｇとが在検知すると、その検知範囲１１２Ｅ及び１１２Ｇより広い領域１１４Ｅ及び１１４Ｇ（即ち、図９の太実線の枠内）にある照明器具１０５が点灯される。このように、人感センサ３に対応付けて登録される照明器具１０５の範囲を広くすることで、人の視界の明るさ感を向上させることができる。しかしながら、在検知により照明器具１０５を点灯させるエリアが大きくなるため、消費電力が大きくなる。また、検知範囲１１２の周辺の照明器具５まで広く点灯させたとしても、照明器具１０５の点灯エリアと消灯エリアとの境界では、以前として視野内の明暗の差が大きいままであり、視環境が改善されないこととなる。
【００４０】
これに対し、上述したように、本実施の形態の人感センサ連動制御による照明方法であれば、照明器具５の点灯による消費電力の増大化を抑えつつ、人が居るエリアを中心とするなだらかな調光度分布での照明を行うことができ、快適な視環境を実現することができる。
【００４１】
＜実施の形態１の変形例＞
本実施の形態の照明システム１０は、在検知した人感センサ３の第１グループに属する照明器具を第１調光率１００％で点灯し、第２グループに属する照明器具５を、第２調光率５０％で点灯させる場合について説明した。しかし、第１調光率は１００％に限られず、他の値であってもよい。また、第２調光率は５０％に限られず、他の値であってもよい。第２調光率を、第１調光率より低い調光率とすることで、人が居るエリアを中心とするなだらかな調光度分布を形成することができる。
【００４２】
また、第２調光率は第１調光率より低い場合に限られず、第２調光率を第１調光率より高い調光率としてもよい。第１調光率より、第２調光率を高くすることで、人が居るエリアを暗く点灯し、そのエリアの周囲をより明るくすることができる。この調光により、街路や廊下の進行方向をより明るく照らすことができる。また、プレゼンテーションに際し、手元をやや暗く点灯し、その周囲を明るく照らすことができる。
【００４３】
なお、第１調光率及び第２調光率は、予め設定され照明コントローラ２に登録されている。この第１調光率及び第２調光率の登録は、例えば、設定器８やパーソナルコンピュータにより変更できる構成としてもよい。
【００４４】
実施の形態１では、在検知した人感センサ３の第１グループの照明器具５を第１調光率で点灯させ、第２グループの照明器具５を、第１調光率よりも低い第２調光率で点灯させる場合について説明した。しかし、このような第１又は第２調光率を付した第１又は第２調光点灯指令に替えて、第１グループの全ての照明器具５には点灯指令、即ち１００％の調光率で点灯する指令を送信し、第２グループの照明器具５には点灯パターン情報を付した点灯指令を送信する構成としてもよい。ここで、点灯パターン情報は、例えば、１つおきに点灯する間引き点灯パターン情報を付した間引き点灯指令である。
【００４５】
このような構成によっても、消費電力の増大化を抑えつつ、在検知エリアの周囲をなだらかな照度の分布で照らすことができる。またこの構成例によれば、調光点灯の機能を持たず、点灯又は消灯のみができる照明器具を有する照明システムの場合にも、検知範囲の外側に隣接する一定の範囲である第２グループの範囲全体の明るさを、検知範囲に比べて減光することができる。これにより在検知エリアを中心になだらかな照度分布を形成することができる。
【００４６】
また、この構成は、図５で説明した調光率を付した調光点灯の指令を送信する構成に組み合わせてもよい。即ち、在検知した人感センサ３の第１グループの照明器具５には第１調光率の第１調光点灯指令を送信すると共に、第２グループの照明器具５には、第２調光率と間引き点灯等の点灯パターン情報とを付した第２調光点灯指令を送信する構成とすることができる。これにより、例えば５０％といった調光率に下限があるような調光率の幅が狭い照明器具５を用いる場合にも、間引き点灯により、第２グループ全体での調光率の幅を広く確保することができる。
【００４７】
実施の形態２．
実施の形態２の照明システム１０の構成は、図１〜図４に説明した構成と同一である。実施の形態２において照明システム１０が実行する人感センサ連動制御は、第２調光点灯指令を複数受信した照明器具５の調光率を調整する制御を行なう点を除いて、実施の形態１で説明した人感センサ連動制御と同一である。
【００４８】
より具体的に、本実施の形態の照明システム１０により人感センサ連動制御において、照明器具５は、複数の第２調光点灯指令を受信した場合、第２調光率より一定量だけ高い第３調光率となるように調光率を調整する。ここで第３調光率が第２調光率より高く第１調光率以下となるように、一定量は、少なくとも第１調光率と第２調光率との差分以下の値とする。具体的な一定量の値は予め適切な値に設定され照明器具５に登録される。
【００４９】
図１０は、本実施の形態の人感センサ連動制御の動作の一例を示す図である。図１０ではステップＳ１０において、照明器具５はそれぞれ、第２調光点灯指令の受信数を確認する。より具体的には、照明器具５ごとに、第２調光点灯指令が複数受信されているか否かが判別される。次に、ステップＳ１１において、複数の第２調光点灯指令を受信したと判別した照明器具５は、一定量だけ調光率を上げる。本実施の形態では、例えば、第１調光率を１００％、第２調光率を５０％とし、一定量を２０％に設定する。
【００５０】
図１１に、ステップＳ１１の処理直後の点灯状態を示す。ここでは、図１０の処理が、図５の例におけるステップＳ８の処理の後に続けて実行された場合を例にとって示す。上述したように、図５の制御では、人感センサ３Ｅと３Ｇとが在検知し、従って、人感センサ３Ｅと３Ｇの第２グループ＃ｅと＃ｇとに第２調光点灯指令が送信されている。そして、図１１に斜線で示された位置の２つの照明器具５が第２グループ＃ｅ及び＃ｇの両方に属する照明器具５であり、複数の第２調光点灯指令を受信している。従って、図１１に示されるように、この斜線で示された位置の照明器具５の調光率が、７０％に上げられている。
【００５１】
以上説明したように、在検知された複数の検知範囲１２に隣接する照明器具５の調光率を、在検知された１つの検知範囲１２に隣接する照明器具５の調光率よりも高くすることにより、存検知された領域に挟まれる領域をより明るく点灯させつつ、なだらかな照度の分布で照らすことができる。
【００５２】
＜実施の形態２の変形例＞
実施の形態２では、複数の第２調光点灯指令を受信した照明器具５の調光率を一定量上昇させる場合の例について説明した。しかし、これに限らず、例えば、複数の第２調光点灯指令を受信した場合、その照明器具５の調光率を、第１調光率とするように制御する構成としてもよい。この構成によって、在検知された領域に挟まれる領域を明るく点灯し、なだらかな照度の分布を形成することができる。
【００５３】
また、実施の形態２では、第１調光率が第２調光率より高い場合について説明した。しかし、これに限られず、第１調光率が第２調光率より低いものであってもよい。この場合、第２調光点灯指令を複数受信した照明器具５は、第２調光率と第１調光率と間の調光率である第３調光率になるように調光率を一定量低下させる処理を行うようにする。なお、ここで第２調光率と第１調光率との間の調光率とは、第１調光率と第２調光率との中間値を意味するものではなく、第１調光率と第２調光率との範囲内にある調光率を意味する。
【００５４】
また、実施の形態２のように複数の第２調光点灯指令を受信した照明器具５の調光率を上げるように調整する制御は、実施の形態１の変形例で説明した点灯パターン情報を付した点灯制御と組み合わせることもできる。
【００５５】
具体的に、例えば、在検知された人感センサ３の第１グループに、１００％の調光率で点灯する第１指令が送信され、第２グループには１つおきに点灯する間引き点灯パターン情報を付した第２指令が送信される場合の処理について説明する。この場合、複数の第２指令を受信した照明器具５は、点灯パターン情報の内容がその照明器具５を間引く対象とするか点灯させる対象とするかに関わらず、点灯する。一方、第２指令を１つだけ受信した照明器具５は、点灯パターン情報の内容に従い、その照明器具５が間引かれる対象である場合には消灯し、点灯する対象である場合には点灯する。この構成により、照明器具５が調光率を調整する機能を有しない場合であっても、在検知エリアの周囲になだらかな照度の分布を形成することができる。
【００５６】
実施の形態３．
実施の形態３の照明システム１０の構成は、図１〜図４に説明した照明システム１０と同一である。実施の形態３の照明システム１０は、人が在から不在となったことを検知したときの人感センサ連動制御を行なう点を除き、実施の形態１のシステムと同一の制御を実行する。なお、人感センサ３が、人が存在する状態から不在の状態となったことを検知した場合、その検知を「不在検知」とも称することとする。
【００５７】
実施の形態３の照明システム１０では、人感センサ３が不在検知した場合に、照明コントローラ２は、不在検知した人感センサ３の第１グループ又は第２グループに属する照明器具５に、消灯指令を送信する。消灯指令を受信した照明器具５は、それに従い消灯する。更に、照明コントローラ２は、現在の人感センサテーブル２１の情報から、照明対象領域１１内の在／不在の情報を取得する。そして、在検知されている検知範囲１２の第２グループに属する照明器具５に、第２調光点灯指令を再送信する。これによって、不在検知した人感センサ３の第１グループ又は第２グループに属するために消灯される照明器具５のうち、在検知されている他の検知範囲１２の第２グループに属する照明器具５については、点灯を継続させることができる。
【００５８】
図１２は、本実施の形態の照明システム１０が実行する人感センサ連動制御の一例を示す図である。図１２の制御は、図５の制御の後に実行される例として説明する。図１２では、検知範囲１２Ｇが、人が居る状態から居ない状態に変化した場合の例を示している。
【００５９】
ステップＳ２０において、人感センサ３Ｇが不在検知すると、その情報が照明コントローラ２に送信される。次に、ステップＳ２１に進み、不在検知を受信した照明コントローラ２は、照明コントローラ２のメモリ内の人感センサテーブル２１に保存された在／不在情報を更新する。ここでの更新後のデータは「００００１００００」である。
【００６０】
次に、ステップＳ２２に進み、照明コントローラ２は、第１グループ＃Ｇに属する照明器具５に０％の調光点灯指令、即ち、第１消灯指令を送信する。次に、ステップＳ２３に進み、照明コントローラ２は、第２グループ＃ｇに属する照明器具５に、０％の調光率の調光点灯指令、即ち、第２消灯指令を送信する。
【００６１】
図１３は、ステップＳ２３の処理直後の各照明器具５の調光率を示す。ステップ２２及びＳ２３の処理により消灯した照明器具５を斜線で示している。図１３に示されるように、ステップＳ２２及びＳ２３の処理によって第１グループ＃Ｇ及び第２グループ＃ｇに属する照明器具５は消灯する。ただし、第１グループに対する指令は、第２グループに対する指令より優先される。即ち、第１調光点灯指令は、第２消灯指令よりも優先される。従って、人感センサ３Ｇの第２グループ＃ｇに属し第２消灯指令を受信した照明器具５のうち、第１グループ＃Ｅに属する照明器具は消灯されず、１００％の第１調光率の点灯状態で維持される。
【００６２】
再び、図１２を参照して、ステップＳ２４において、照明コントローラ２は、第１及び第２消灯指令を送信した場合のリフレッシュ送信を実行する。より具体的に、照明コントローラ２は、第１及び第２消灯指令を送信したか否かを判別し、第１及び第２消灯指令を送信したと判別された場合に、リフレッシュ送信を実行する。リフレッシュ送信を実行する場合、ステップＳ２５において、ステップＳ２１で更新された人感センサテーブル２１に基づき、在検知されている検知範囲１２Ｅの第２グループ＃ｅに属する照明器具５に、第２調光率の第２調光点灯指令が送信される。
【００６３】
図１４に、ステップＳ２５の処理直後の各照明器具５の調光率を示す。図１４では、リフレッシュ送信により再点灯された照明器具５を斜線で示している。図１４に示されるように、ステップＳ２５のリフレッシュ送信により、第１グループ＃Ｇ又は第２グループ＃ｇに属する照明器具５のうち、第２グループ＃ｅにも属する３つの照明器具５が、再び第２調光率５０％で点灯される。
【００６４】
以上の消灯の処理により、人が不在となったエリアの消灯を適切に行うことができ、消費電力の増大を抑えると共に、更新された最新の在／不在情報に基づいて、人が存在するエリアを中心とするなだらかな照度分布を再形成することができる。
【００６５】
＜実施の形態３の変形例＞
なお、実施の形態３では、実施の形態１の人感センサ連動制御と組み合わせて、不在検知された場合の消灯の制御を実施する場合について説明した。しかし、実施の形態３の消灯の制御は、実施の形態２に説明した人感センサ連動制御と組み合わせて実行してもよい。この場合、図５及び図１０の調光点灯の制御の制御と並行して、図１２の制御を実行する構成とすればよい。
【００６６】
また、実施の形態３では、ステップＳ２２またはＳ２３において、第１グループ＃Ｇまたは第２グループ＃ｇに属する照明器具５を一旦消灯してから、第２グループ＃ｅに属する照明器具５を再点灯する場合について説明した。しかし、消灯の制御はこれに限られない。例えば、照明器具５は、第１または第２消灯指令を受信しても直ぐには消灯せず、これを保留とし、ステップＳ２５のリフレッシュ送信を待って、第１又は第２消灯指令と第２調光点灯指令とを比較して、調光率が高い方の指令を選択して点灯又は消灯する構成としてもよい。つまり、第１又は第２消灯指令と第２調光点灯指令とを受信した場合には、第２調光率で調光点灯し、第１又は第２消灯指令だけを受信した場合には、消灯する。これにより、一旦消灯した後、直ぐに再点灯するという不自然な点灯動作を回避することができる。
【００６７】
また、図１５及び図１６に、消灯指令を受信した場合の消灯の制御の他の変形例を示す。図１５は、第１調光点灯指令により１００％の調光率で点灯していた照明器具５を消灯する場合の例であり、図１６は、第２調光点灯指令により５０％の調光率で点灯していた照明器具５を消灯する場合の例である。
【００６８】
図１５及び図１６に示される例では、第１消灯指令または第２消灯指令を受信した照明器具５は、直ちに消灯せず、段階的に消灯に移行する。この例では、照明器具５には、保持時間、フェード時間、及び、ＯＦＦ遅延時間の、３段階の消灯への移行時間が設定されている。消灯指令を受信した照明器具５は、まず、保持時間の間、現在の調光率で維持される。保持時間経過後、フェード時間の間に、例えば、所定の省エネ点灯に移行する。ここでの省エネ点灯は、例えば、第１消灯指令を受信した場合には調光率２０％、第２消灯指令を受信した場合には調光率１０％での点灯とする。ただし、省エネ点灯における調光率はこれに限られず、第１消灯指令の場合には第１調光率より低い調光率であればよく、第２消灯指令の場合には第２調光率より低い調光率であればよい。また、省エネ点灯は、第１消灯指令の場合でも第２消灯指令の場合でも、同一の低い調光率としてもよい。そして、省エネ点灯の調光率に移行された後、ＯＦＦ遅延時間の経過を待って、完全消灯とされる。この構成により、不在検知した人感センサ３の第１グループの照明器具５と、当該人感センサ３の第２グループの照明器具５とを連動して、減光または消灯させることができ、不自然な点灯または消灯の動作を回避することができる。
【００６９】
＜その他＞
実施の形態１〜３では、人感センサ３が配置され９つの検知範囲１２に分けられた照明対象領域１１を照明する場合の例について説明した。しかし、人感センサの設置数やこれに伴う検知範囲の区分けは、これに限られない。照明システム１０によって人感センサ連動制御を行なう照明対象領域の大きさと、人感センサ３の検知可能な範囲とに応じて、適切な数の人感センサ３が設置されればよく、また、設置された各人感センサ３の検知可能な範囲に応じて適切な検知範囲を設定し、この検知範囲に適切な数の照明器具５を設置すればよい。
【００７０】
また、実施の形態１〜３では、人感センサ３の検知範囲１２に配置された照明器具５を第１グループに属する照明器具５として登録する場合について説明した。しかし、これに限られず、人感センサ３それぞれの検知範囲１２のそれぞれに対応する対応領域内に設置された照明器具５のグループを第１グループとし、その対応領域のそれぞれに隣接する一定の範囲内に設置された照明器具５のグループを第２グループとして、人感センサ３それぞれに対応付けて登録した構成としてもよい。
【００７１】
このような構成は、例えば、人感センサ３の検知範囲１２と照明器具５の設置範囲とがずれている場合に適用できる。具体的に、この場合、人感センサ３の第１グループの範囲である対応領域を、照明器具の設置範囲と一致するように設定し、それに隣接する一定の範囲を第２グループの設定範囲とすればよい。また、例えば、人感センサ３が入り口に配置され、部屋中央に配置された照明器具を点灯するような場合、部屋中央付近を対応範囲とし、それに隣接する一定の範囲を、第２グループの設定範囲とすることができる。このような構成により、人感センサ３の在検知により照明したいエリアを対応づけることができ、照明したいエリアを中心とするなだらかな照度分布を形成することができる。
【００７２】
また、第２グループの設定範囲である検知範囲（又は対応領域）の外側に接する一定の範囲についても、実施の形態１〜３に説明した配置に限られない。図１７に、第２グループの設定例を示す。図１７に示される例では、人感センサの対応領域３０に配置された４つの照明器具３１は、当該人感センサの第１グループに属する照明器具として登録される。そして、この対応領域３０の外側の２列分の照明器具３２及び３３が、第２グループに属する照明器具として登録される。
【００７３】
更に、図１７の例では、第２グループの照明器具３２及び３３のうち、対応領域３０（又は検知範囲）に近い範囲３４に属する照明器具３２は、対象領域３０に遠い範囲３５に属する照明器具３３は、異なる調光率で調光する構成とすることができる。例えば、対応領域３０の第１グループの照明器具３１が第１調光率で点灯される場合、第２グループのうち照明器具のうち、第１グループに近い範囲３４にある照明器具３２は第２調光率で点灯され、更に外側の範囲３５にある照明器具３３は第３調光率で調光される。このとき、第２調光率は、第１調光率と第３調光率との間の値に設定される。より具体的に例えば、第１調光率を１００％、第２調光率を５０％、第３調光率を２０％とする。これにより、対応領域３０（又は検知範囲）を中心として、より細かな照度分布を実現することができる。
【００７４】
また、第２のグループを２列以上に配列した構成の場合、第２グループの中で、格子状に第２調光率とする照明と、第３調光率とする照明とを配置させてもよい。あるいは、第２グループのなかで、点灯する照明と点灯しない照明とを格子状に配置した構成としてもよい。なお、格子状とは、ある照明器具と、その左右及び上下の照明器具とが、異なる調光率（調光率ゼロの場合も含む）に設定されることを意味する。
【００７５】
また、この例では、逆に、第１調光率を低く、第２調光率、第３調光率となるにつれて高くなるように設定してもよい。より具体的に、例えば、第１調光率を２０％、第２調光率を５０％、第３調光率を１００％とする。このように設定することにより、例えば、在検知されたエリアである足元側を暗く、在検知されたエリアから離れるに連れて明るくなるような照度分布を形成することができる。これにより、廊下や通路等を照明するような場合に、進行方向を徐々に明るくすることができ、人が進む方向を案内することができる。また、作業スペースや休息スペースを照明する場合、人がいるエリアの照明を抑えることでストレスを低減しつつ、周囲の必要な場所に向けて徐々に明るくするような設定を行うことができる。
【００７６】
また、第２グループに設定される一定の範囲は、２列に限られず、３列以上の複数列に設定し、より細かく段階的に調光率を変化させる構成としてもよい。また、第２のグループに間引き点灯指令を出して制御する場合、対応領域３０により近い内側の範囲と、遠い範囲とで、間引き率を異なるものとすればよい。より具体的に、第１グループの照明器具が１００％で点灯される場合、第２グループのうち対応領域３０に近い内側の照明器具は１つおきに点灯する間引き点灯とし、その外側の照明器具は、２つおきに点灯する間引き点灯とするようにしてもよい。
【００７７】
図１８に、間引き点灯を行う場合の第２グループの点灯パターンの例について説明する。図１８の例では、対応領域４０内に配置された４つの照明器具４１が第１のグループに属し、対応領域４０の外側の一列分の範囲４２内の照明器具４３及び４４が、第２グループに属する。更に、第２グループの照明器具４３及び４４は、２つのグループに分けられている。一方のグループ＃ｘの照明器具４３と他方のグループ＃ｙの照明器具４４とは１つおきに配置されている。そして、グループ＃ｘの照明器具４３は、第２の調光率で点灯され、グループ＃ｙの照明器具４４は、第２の調光率より暗い第３の調光率で点灯される。これにより、消費電力の低減を図りつつ、第２グループ内の照度の差を小さくすることができ、グレアを低減することができる。
【符号の説明】
【００７８】
２  照明コントローラ、  ３、３Ａ〜３Ｉ  人感センサ、  ４  照度センサ、  ５  照明器具、  ６  壁スイッチ、  ７  増幅器、  ８  設定器、  ９  通信線、  １０  照明システム、  １１  照明対象領域、  １２、１２Ａ〜１２Ｉ  検知範囲、  ２１  人感センサテーブル
【図１】
2020205151.tif 000003
【図２】
2020205151.tif 000004
【図３】
2020205151.tif 000005
【図４】
2020205151.tif 000006
【図５】
2020205151.tif 000007
【図６】
2020205151.tif 000008
【図７】
2020205151.tif 000009
【図８】
2020205151.tif 000010
【図９】
2020205151.tif 000011
【図１０】
2020205151.tif 000012
【図１１】
2020205151.tif 000013
【図１２】
2020205151.tif 000014
【図１３】
2020205151.tif 000015
【図１４】
2020205151.tif 000016
【図１５】
2020205151.tif 000017
【図１６】
2020205151.tif 000018
【図１７】
2020205151.tif 000019
【図１８】
2020205151.tif 000020